(57)【要約】【課題】本発明は、表示側ケースは操作側ケースに対して横方向にスライドするとともに傾斜するように起き上がるスライド式電子装置を提供することを目的とする。【解決手段】本発明に係るスライド式電子装置は、ガイド溝が形成されている操作側ケースと、スライド機構と、前記スライド機構によって前記操作側ケースにスライド可能に重ね合わせる表示側ケースと、を備える。前記スライド機構は、一端は前記表示側ケースに回転可能に枢着し、他端の側辺から前記ガイド溝内にスライド可能に収納されるスライダー片が突出されるスライドプレートと、両端はそれぞれ前記スライドプレートと前記操作側ケースに係止される弾性部材と、両端はそれぞれ前記操作側ケースと表示側ケースに回転可能に枢着される回転支持機構と、を備える。【選択図】図１
2011139422.tif 000002
【特許請求の範囲】
【請求項１】
ガイド溝が形成されている操作側ケースと、スライド機構と、前記スライド機構によって前記操作側ケースにスライド可能に重ね合わせる表示側ケースと、を備えてなるスライド式電子装置であって、
前記スライド機構は、
一端は前記表示側ケースに回転可能に枢着し、他端の側辺から前記ガイド溝内にスライド可能に収納されるスライダー片が突出されるスライドプレートと、
一端は前記スライドプレートに係止され、他端は前記操作側ケースに固定される弾性部材と、
一端は前記操作側ケースに回転可能に枢着され、他端は前記表示側ケースに回転可能に枢着する回転支持機構と、
を備え、前記表示側ケースが前記操作側ケースに対してスライドする際、前記スライドプレートは前記表示側ケースに駆動されてスライドするとともに前記弾性部材を湾曲させて、前記弾性部材に弾発力を蓄積させることを特徴とするスライド式電子装置。
【請求項２】
前記スライド機構はガイド部を有するガイド板材をさらに含み、前記ガイド板材は前記操作側ケース上に固定され、前記ガイド溝は前記ガイド部と前記操作側ケースとの間に形成されることを特徴とする請求項１の記載のスライド式電子装置。
【請求項３】
前記表示側ケースは前記操作側ケースに対面する下表面を有し、前記スライド機構は第一回転軸をさらに備え、
前記スライドプレートは前記第一回転軸を介して、前記表示側ケースの下表面の片側に枢着されることを特徴とする請求項１に記載のスライド式電子装置。
【請求項４】
前記回転支持機構は、前記操作側ケースに回転可能に収納される主体レバー部及び前記主体レバー部の両端に回動可能に設置される２つの連接アームを含み、
各連接アームの両端はそれぞれ前記表示側ケース及び前記操作側ケースに回転可能に枢着することを特徴とする請求項１に記載のスライド式電子装置。
【請求項５】
前記操作側ケースは、前記表示側ケースに対面する操作面及び前記操作面を被せるカバーボードを備え、
前記操作面には円弧形の横断面を有する第一溝部が形成され、前記カバーボードには第二溝部が形成され、
前記第一溝部及び第二溝部が組み合わせて収容部を形成し、前記主体レバー部は前記収容部内に回転可能に収納されることを特徴とする請求項４に記載のスライド式電子装置。
【請求項６】
前記スライドプレートの前記操作側ケースに対面する表面には係止部が凸設され、前記操作側ケースの操作面には固定穴が開設され、
前記弾性部材の一端にはクリップが形成され、他端には固定ピンが設置され、
前記クリップは前記係止部と互いに係合し、前記固定ピンは前記固定穴内に係止されることを特徴とする請求項１に記載のスライド式電子装置。
【発明の詳細な説明】
【技術分野】
【０００１】
本発明は、電子装置に関し、特にスライド式電子装置に関するものである。
【背景技術】
【０００２】
現在市販されている携帯電子装置は、一般に、互いに対して回転またはスライドできる表示側ケース及び操作側ケースを含んでいる。例えば、スライド式電子装置においては、前記表示側ケースを前記操作側ケースに対してスライドして開放させることができる。
【０００３】
ところで、最近、通信技術の飛躍的な発展に伴い、携帯電子装置の用途も多様化されており、携帯電子装置を用いたインターネット検索、動映像再生、ＴＶ放送、各種ゲームなどのマルチメディア機能遂行が可能になりつつある。しかしながら、従来のスライド式電子装置においては、表示側ケースと操作側ケースが単に直線的にスライドするだけなので、スクリーンの視角をキーボードに対して調整できないという欠点がある。その結果、ユーザは表示された画面を容易に観覧できず、とても不便である。
【０００４】
また、最近、通信技術の飛躍的な発展に伴い、携帯電子装置のデザインに対した要求も段々高くなり、前記携帯電子装置における上筐体と下筐体との間の開閉機構は、携帯電子装置のデザインに関する重要な要素になった。従来の折り畳み式や縦方向スライド式以外の新しい開閉機構を備えた携帯電子装置が望まれている。
【発明の概要】
【発明が解決しようとする課題】
【０００５】
本発明は以上の問題点に鑑みてなされたものであって、その目的は、表示側ケースは操作側ケースに対して横方向にスライドするとともに傾斜するように起き上がるスライド式電子装置を提供することにある。
【課題を解決するための手段】
【０００６】
前記問題を解決するために、本発明に係るスライド式電子装置は、ガイド溝が形成されている操作側ケースと、スライド機構と、前記スライド機構によって前記操作側ケースにスライド可能に重ね合わせる表示側ケースと、を備える。前記スライド機構は、一端は前記表示側ケースに回転可能に枢着し、他端の側辺から前記ガイド溝内にスライド可能に収納されるスライダー片が突出されるスライドプレートと、両端はそれぞれ前記スライドプレートと前記操作側ケースに係止される弾性部材と、両端はそれぞれ前記操作側ケースと表示側ケースに回転可能に枢着される回転支持機構と、を備える。前記表示側ケースが前記操作側ケースに対してスライドする際、前記スライドプレートは前記表示側ケースに駆動されてスライドするとともに前記弾性部材を湾曲させて、前記弾性部材に弾発力を蓄積させる。
【発明の効果】
【０００７】
本発明に係るスライド式電子装置において、表示側ケースは操作側ケースに対して傾斜するように起き上がれるから、表示スクリーンは操作側ケースに対して所定の傾斜角度を呈する。よって、ユーザーは表示される情報を観覧し易い。しかも、前記操作側ケース上にはガイド溝が形成され、且つ前記スライドプレートのスライダー片は前記ガイド溝内にスライド可能に収納されるから、前記表示側ケースの前記スライドプレートと連結する一端は前記操作側ケース上に安定にスライドできる。
【図面の簡単な説明】
【０００８】
【図１】本発明の実施形態に係るスライド式電子装置の分解図である。
【図２】図１に示すスライド式電子装置を別の視角から見た分解図である。
【図３】図１に示すスライド式電子装置の組立図である。
【図４】図３に示すスライド式電子装置の表示側ケースが取り外された状態を示す図である。
【図５】図３に示すスライド式電子装置は開成状態における示す図である。
【図６】図５に示すスライド式電子装置を別の視角から見た斜視図である。
【発明を実施するための形態】
【０００９】
以下、図１乃至図６を参照しながら、本発明の実施形態に係るスライド式電子装置について詳細に説明する。
【００１０】
本発明に係るスライド式電子装置は、携帯電話、個人用携帯情報端末（ＰＤＡ）などであることができ、特に限定されない。本実施形態において、携帯電話を例として説明する。
【００１１】
図１に示すように、本発明の携帯電話１００は、操作側ケース１０と、前記操作側ケース１０上に重ね合わせて設置される表示側ケース２０と、前記操作側ケース１０と前記表示側ケース２０との間に設置されるスライド機構３０と、を備える。前記スライド機構３０は、スライドプレート３２、第一回転軸３４、弾性部材３６、回転支持部材３８、２つの第二回転軸３９及び１つのガイド板材４０を含む。前記表示側ケース２０は、前記スライド機構３０により前記操作側ケース１０に連結され、且つ前記操作側ケース１０上にスライドして開放するとともに、傾斜するように起き上がることができる。
【００１２】
前記操作側ケース１０は操作面１２を含む。前記操作面１２上には、前記携帯電話１００を制御する用の複数の押しボタン１２２、前記回転支持部材３８を収納するための収容手段１２４及び前記弾性部材３６を固定するための固定穴１２６が設置されている。前記押しボタン１２２は前記操作側ケース１０の片側に設置され、前記収容手段１２４は押しボタン１２２に相対する他側に開設されている。前記固定穴１２６は前記押しボタン１２２と前記収容手段１２４との間に設置されている。
【００１３】
本実施形態において、前記収容手段１２４は、前記操作面１２上に凸設され円弧形の横断面を有する第一溝部１２４２と、別々前記第一溝部１２４２の両端に隣接して開設される２つの収容凹部１２４４と、前記操作面１２上に被せて設置されるカバーボード１２４６と、前記カバーボード１２４６上に開設され且つ前記第一溝部１２４２と組み合せる第二溝部１２４８と、を備える。前記カバーボード１２４６を前記操作面１２上に覆うと、前記第一溝部１２４２と第二溝部１２４８は前記回転支持部材３８を収納するための収容部１２４０（図６に示されている）を取り囲んで形成する。前記カバーボード１２４６は位置決め塊１２５０をさらに含み、前記操作面１２上には前記位置決め塊１２５０と互いに係合するための位置決め凹溝１２５１が開設されている。前記位置決め塊１２５０が前記位置決め凹溝１２５１に係合することにより、前記カバーボード１２４６を的確に前記操作側ケース１０上に固定する。
【００１４】
図２を一緒に参照すると、前記表示側ケース２０は、前記操作側ケース１０の操作面１２に対面する下表面２２及び前記下表面２２に対向して設置される表示面２４を含む。前記下表面２２における前記押しボタン１２２に対応する片側には、第一凹所２２２が開設されており、前記下表面２２の前記第一凹所２２２に相対する他側の両端に隣接する箇所には２つの第二凹所２２４が開設されている。前記第一凹所２２２は、各々第一取付孔２２２４が開設され且つ対向設置される２つの第一側壁２２２２を含む。前記２つの第一取付孔２２２４は同軸に設置され、前記スライドプレート３２を取り付けることに用いられる。各々の第二凹所２２４は、対向設置される２つの第二側壁２２４２を含む。各第二側壁２２４２には、第二取付孔２２４４が開設されている。各第二凹所２２４の２つの第二取付孔２２４４は同軸に設置され、前記回転支持部材３８の自由端部を前記表示側ケース２０上に回転可能に固定するために用いられる。前記表示面２４の中部には、表示スクリーン２４２が実装されている。
【００１５】
前記スライドプレート３２は略方形の板状体であり、その一端は湾曲して貫通孔３２２２を有する中空の円柱形軸筒３２２を形成する。前記スライドプレート３２の前記操作側ケース１０に対面する表面の片側には係止部３２４が凸設される。前記スライドプレート３２の前記操作側ケース１０に対面する表面の中部には、前記スライドプレート３２の前記係止部３２４から離れている側辺から突出するスライダー片３２６が設置される（図２を参照）。
【００１６】
前記スライドプレート３２を前記表示側ケース２０に取り付け固定する場合は、まず前記第一回転軸３４を前記円柱形軸筒３２２の貫通孔３２２２を挿通してから、前記円柱形軸筒３２２を前記表示側ケース２０の第一凹所２２２内に収納して、前記貫通孔３２２２と第一取付孔２２２４とを位置合わせすると共に前記第一回転軸３４の両端をそれぞれ前記第一取付孔２２２４内に固定する。前記係止部３２４は、前記弾性部材３６の一端を前記スライドプレート３２上に固定する役割を果たしている。
【００１７】
前記弾性部材３６は弧状の薄片であるが、圧縮スプリング或いはトーションバネ等であることもできる。前記弾性部材３６の一端は曲げられてクリップ３６２を形成し、他端は固定ピン３６４が設置されている。前記クリップ３６２を前記スライドプレート３２の係止部３２４に係合することにより、前記弾性部材３６の一端を前記スライドプレート３２上に固定する。前記固定ピン３６４を前記操作側ケース１０の固定穴１２６に係合することにより、前記弾性部材３６の他端を前記操作側ケース１０上に固定する。なお、前記弾性部材３６と操作側ケース１０又はスライドプレート３２との固定方式は上記の方式に限定されるものではなく、半田付けのような他の固定方式を採用してもよい。
【００１８】
前記回転支持部材３８は、円柱形の主体レバー部３８２及びそれぞれ前記主体レバー部３８２の両端に設置される２つの連接アーム３８４を含む。各連接アーム３８４の基端部は前記主体レバー部３８２と一体に固定し、外の部分は前記主体レバー部３８２の同側に向かって略「八」字型に伸びている。各連接アーム３８４の自由端部には、それを貫通する固定孔３８４２が開設されているから、前記第二回転軸３９を前記固定孔３８４２及び前記第二凹所２２４の第二取付孔２２４４内に係止することにより、前記連接アーム３８４の自由端部を前記表示側ケース２０の第二凹所２２４内に枢着できる。組み立てて、前記表示側ケース２０を操作側ケース１０上に覆う場合は、前記主体レバー部３８２は、前記操作面１２の第一溝部１２４２と前記カバーボード１２４６の第二溝部１２４８から囲んで構成した収容部１２４０内に回転可能に収納され、前記２つの連接アーム３８４はそれぞれ前記操作側ケース１０の収容凹部１２４４内に収納される。
【００１９】
前記ガイド板材４０は、長方形の主体板４２と、前記主体板４２の縦長方向の片側から上に向かって斜めに延在してなる弧形断面を有するガイド部４４と、を含む。前記ガイド板材４０の主体板４２を前記操作側ケース１０上に固定したら、前記ガイド部４４と前記操作側ケース１０の操作面１２との間にはガイド溝４６が形成される（図６を参照）。前記スライドプレート３２のスライダー片３２６は前記ガイド溝４６内にスライド可能に収納される。
【００２０】
以下、図３及び図４を一緒に参照しながら、本発明の携帯電話１００の組立ステップを詳細に説明する。
【００２１】
まず、前記第一回転軸３４を前記スライドプレート３２の貫通孔３２２２内に挿通してから、前記貫通孔３２２２の両側から露出する前記第一回転軸３４の両端をそれぞれ前記表示側ケース２０の第一凹所２２２の第一取付孔２２２４内に係止して、前記スライドプレート３２の一端を前記表示側ケース２０の片側に回転可能に枢着する。取付操作を容易にするため、前記第一回転軸３４を伸縮できるような材料で製作するのが好ましい。
【００２２】
次に、前記弾性部材３６のクリップ３６２を前記スライドプレート３２の係止部３２４上に係合し、もう一端の固定ピン３６４を前記操作側ケース１０の固定穴１２６内に固定する。
【００２３】
続いて、前記回転支持部材３８の主体レバー部３８２を前記操作側ケース１０の第一溝部１２４２内に収納して、前記カバーボード１２４６の位置決め塊１２５０を前記操作側ケース１０の位置決め凹溝１２５１内に係合すると、前記カバーボード１２４６の第二溝部１２４８は前記第一溝部１２４２と組み合せて、前記主体レバー部３８２を前記操作側ケース１０上に取り付けるための収容部１２４０を囲んで形成する。
【００２４】
その後、前記ガイド板材４０を前記操作側ケース１０上に固定して、前記ガイド部４４と前記操作面１２との間にガイド溝４６が形成されてから、前記スライドプレート３２のスライダー片３２６を前記ガイド溝４６内に収納する。
【００２５】
最後に、前記第二回転軸３９を前記連接アーム３８４の固定孔３８４２及び前記表示側ケース２０の第二凹所２２４の第二取付孔２２４４内に係止することにより、前記連接アーム３８４の自由端部を前記表示側ケース２０上に回転可能に枢着する。ここで、第二回転軸３９を前記第一回転軸３４と同じような伸縮材料で製作するのが好ましい。次に、前記弾性部材３６の固定ピン３６４を前記操作側ケース１０の固定穴１２６内に係止すると、前記携帯電話１００の組立が完成する。
【００２６】
図５及び図６は異なる視角から、本発明の携帯電話１００の使用状態を示している。使用する場合は、前記表示側ケース２０の前記スライドプレート３２と枢着する一端を推進すると、前記表示側ケース２０は前記操作側ケース１０の短辺方向に沿ってスライドすると共に、前記表示側ケース２０の押圧された一端は前記第一回転軸３４を巡って前記スライドプレート３２に相対して回転し、前記スライドプレート３２を駆動して直線運動する。この際、前記スライダー片３２６は前記ガイド溝４６内にスライドして、前記スライドプレート３２をガイドする。前記スライドプレート３２の移動に伴って、前記弾性部材３６は撓まれて変形して弾発力を蓄積している。前記弾性部材３６の両端はそれぞれ前記操作側ケース１０とスライドプレート３２上に固定され、即ち、前記スライドプレート３２の一端は前記弾性部材３６を介して前記操作側ケース１０上に固定される。加えて、前記スライドプレート３２のもう一端は前記表示側ケース２０上に連結されるから、前記表示側ケース２０は操作側ケース１０に相対してスライドされる過程において、表示側ケース２０の前記スライドプレート３２と連結する一端は前記操作側ケース１０に始終接触している。このように、前記表示側ケース２０は前記スライドプレート３２及び弾性部材３６を介して前記操作側ケース１０に連結され且つ前記操作側ケース１０上にスムーズにスライドできる。
【００２７】
一方、前記回転支持部材３８も前記表示側ケース２０のスライドに従って回転する。より詳細には、前記連接アーム３８４の自由端部は前記表示側ケース２０と回転可能に連結されるから、各連接アーム３８４は主体レバー部３８２を支点にして前記表示側ケース２０の仰角方向に回転する。これにより、前記主体レバー部３８２も連動されて前記収容部１２４０内で前記操作側ケース１０に相対して回転する。このように、前記表示側ケース２０の前記スライドプレート３２と連結しない一端は前記操作側ケース１０に相対してだんだん起き上がって、前記表示スクリーン２４２を傾斜するようにさせる。前記弾性部材３６は最大限に撓まれる場合に、続けて前記表示側ケース２０を推進すると、前記弾性部材３６は弾発力を解放して前記表示側ケース２０を駆動して前記操作側ケース１０に相対して完全に傾斜するように開放させる。
【００２８】
前述したスライド機構３０は、操作側ケース１０上に固定されるガイド板材４０及び前記スライドプレート３２上に設置されるスライダー片３２６を含む。しかも、前記スライダー片３２６は、前記ガイド板材４０のガイド部４４と前記操作側ケース１０の操作面１２とから形成するガイド溝４６内にスライド可能に収納されるから、前記スライドプレート３２の移動をガイドできる。これにより、前記表示側ケース２０の前記スライドプレート３２と連結する一端は前記スライドプレート３２と共に前記操作側ケース１０上に安定にスライドできる。
【００２９】
なお、本発明において、前記ガイド溝４６は直接に前記操作側ケース１０上に開設されてもよい。
【００３０】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのがいうまでもない。
【符号の説明】
【００３１】
１０      操作側ケース
１２      操作面
２０      表示側ケース
２２      下表面
２４      表示面
３０      スライド機構
３２      スライドプレート
３４      第一回転軸
３６      弾性部材
３８      回転支持部材
３９      第二回転軸
４０      ガイド板材
４２      主体板
４４      ガイド部
４６      ガイド溝
１００    携帯電話
１２２    押しボタン
１２４    収容手段
１２６    固定穴
２２２    第一凹所
２２４    第二凹所
２４２    表示スクリーン
３２２    円柱形軸筒
３２４    係止部
３２６    スライダー片
３６２    クリップ
３６４    固定ピン
３８２    主体レバー部
３８４    連接アーム
１２４０  収容部
１２４２  第一溝部
１２４４  収容凹部
１２４６  カバーボード
１２４８  第二溝部
１２５０  位置決め塊
１２５１  位置決め凹溝
２２２２  第一側壁
２２２４  第一取付孔
２２４２  第二側壁
２２４４  第二取付孔
３２２２  貫通孔
３８４２  固定孔
【図１】
2011139422.tif 000003
【図２】
2011139422.tif 000004
【図３】
2011139422.tif 000005
【図４】
2011139422.tif 000006
【図５】
2011139422.tif 000007
【図６】
2011139422.tif 000008